【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
プロセスプラントをコミッショニングする方法であって、
フィールドデバイスが入力−出力（Ｉ／Ｏ）割り当て解除状態である間に、前記フィールドデバイスの識別情報をプロセス制御ループのコンポーネントのメモリに記憶することであって、
前記フィールドデバイスが、前記プロセスプラントのフィールド環境内に配置され、
前記フィールドデバイスが、前記プロセス制御ループの一部として前記プロセスプラントのランタイム中に、Ｉ／Ｏデバイスを介して、物理的機能を行い、また、前記物理的機能に対応するデータの送信または受信のうちの少なくとも１つを行って、前記プロセスプラントにおいて実行する工業プロセスを制御し、
前記フィールドデバイスの前記Ｉ／Ｏ割り当て解除状態が、前記フィールド環境内において、前記フィールドデバイスが任意のＩ／Ｏデバイスを介して通信するように割り当てられていないことを示す、記憶することと、
前記フィールドデバイスが前記Ｉ／Ｏ割り当て解除状態の間、前記フィールドデバイス識別情報を前記コンポーネントの前記メモリから複数の他のデバイスに含まれる各々のデバイスに分配することであって、前記複数の他のデバイスの各々のデバイスが、（ｉ）前記フィールドデバイスに通信的に接続され、（ｉｉ）前記プロセス制御ループを含み、（ｉｉｉ）前記プロセスプラントの前記フィールド環境内に配置され、分配された前記フィールドデバイス識別情報を、前記フィールドデバイス及び前記複数の他のデバイスを含む前記プロセス制御ループの少なくとも一部分をコミッショニングする際に使用する、分配することと、を含む、方法。
【請求項２】
前記フィールドデバイス識別情報を前記他のデバイスに分配することが、前記フィールドデバイスにおいて行われるコミッショニングアクションの完了に応じて、前記フィールドデバイス識別情報を第２のデバイスに自動的に分配することを含み、
前記第２のデバイスは、前記プロセス制御ループに含まれる前記複数の他のデバイスに含まれる、請求項１に記載の方法。
【請求項３】
前記フィールドデバイスと第２のデバイスとの間の前記通信的な接続の確立を検出することをさらに含み、
前記フィールドデバイス識別情報を前記プロセス制御ループに含まれる前記複数の他のデバイスに含まれる各々のデバイスに分配することが、前記通信的な接続の前記確立を検出した時点で、前記フィールドデバイス識別情報を前記第２のデバイスに自動的に分配することを含み、前記第２のデバイスは、前記プロセス制御ループに含まれる前記複数の他のデバイスに含まれる、請求項１または２に記載の方法。
【請求項４】
前記フィールドデバイスが、Ｉ／Ｏ割り当て状態に変更されたことを検出することであって、前記フィールドデバイスの前記Ｉ／Ｏ割り当て状態が、前記フィールドデバイスが特定のＩ／Ｏデバイスを介して通信するように割り当てられていることを示す、検出することと、
前記検出に基づいて、前記プロセスプラントの前記フィールド環境に記憶した前記フィールドデバイスの前記識別情報を、前記プロセスプラントのバックエンド環境に記憶した前記フィールドデバイスの対応する識別情報と同期させることと、をさらに含む、請求項２または３に記載の方法。
【請求項５】
複数のフィールドデバイスをコミッショニングするために、前記プロセス制御プラントの前記フィールド環境内に配置され、かつユーザによって動作されるフィールドコミッショニングツールから前記フィールドデバイス識別情報を受信することをさらに含む、請求項１〜４のいずれか一項に記載の方法。
【請求項６】
前記フィールドデバイス識別情報を前記プロセス制御ループに含まれる前記複数の他のデバイスの各々のデバイスに分配することが、前記プロセスプラントの前記フィールド環境が前記プロセスプラントのバックエンド環境から通信的に切断されている間に、前記フィールドデバイス識別情報を前記プロセス制御ループに含まれる前記複数の他のデバイスの各々のデバイスに分配することを含む、請求項１〜５のいずれか一項に記載の方法。
【請求項７】
前記フィールドデバイスが、スマートフィールドデバイスであり、前記フィールドデバイス識別情報を前記コンポーネントの前記メモリに記憶することが、前記フィールドデバイス識別情報を前記スマートフィールドデバイスのメモリに記憶することを含む、請求項１〜６のいずれか一項に記載の方法。
【請求項８】
前記フィールドデバイス識別情報を前記プロセス制御ループに含まれる前記複数の他のデバイスに含まれる各々のデバイスに分配することが、前記フィールドデバイス識別情報を前記プロセス制御ループに含まれる前記複数の他のデバイスに含まれる少なくとも一つのデバイスにプッシュすることを含む、請求項１〜７のいずれか一項に記載の方法。
【請求項９】
前記フィールドデバイス識別情報を前記プロセス制御ループに含まれる前記複数の他のデバイスに含まれる各々のデバイスに分配することが、前記プロセス制御ループに含まれる前記複数の他のデバイスに含まれる少なくとも一つのデバイスによって開始される前記フィールドデバイス識別情報を各々プルすることに応答することを含む、請求項１〜８のいずれか一項に記載の方法。
【請求項１０】
前記フィールドデバイス識別情報を前記コンポーネントの前記メモリに記憶することが、前記フィールドデバイス識別情報を、
（ｉ）前記フィールドデバイスの外面に取り付けられているか、
（ｉｉ）前記フィールドデバイスに関連付けられた特徴付けモジュール（Ｃｈａｒａｃｔｅｒｉｚａｔｉｏｎ  Ｍｏｄｕｌｅ：ＣＨＡＲＭ）、前記フィールドデバイスと関連付けられた前記ＣＨＡＲＭをサポートするＣＨＡＲＭキャリア、または、前記フィールドデバイスと関連付けられた前記ＣＨＡＲＭに物理的に取り付けられたエクステンダ、に含まれているか、または
（ｉｉｉ）前記フィールドデバイスと関連付けられた端子ブロックに含まれているか、であるメモリに記憶することを含む、請求項１〜９のいずれか一項に記載の方法。
【請求項１１】
前記フィールドデバイス識別情報を記憶することが、前記フィールドデバイスを識別するシステムタグを記憶することを含み、前記システムタグが、一組の構文解析規則に基づいて、前記フィールドデバイスを一意的に識別するソースタグから自動的に導出される、請求項１〜１０のいずれか一項に記載の方法。
【請求項１２】
前記システムタグが、前記ソースタグの総文字数よりも少ない総文字数を有する、請求項１１に記載の方法。
【請求項１３】
前記システムタグが、前記ソースタグの総文字数よりも多い総文字数を有する、請求項１１に記載の方法。
【請求項１４】
前記フィールドデバイスの前記システムタグを記憶することが、前記フィールドデバイスのデバイスタグまたはデバイス信号タグのうちの１つを記憶することを含む、請求項１１〜１３のいずれか一項に記載の方法。
【請求項１５】
前記フィールドデバイスの前記識別情報が、複数の値に含まれ、該値の各々が、前記フィールドデバイスを記述し、
前記フィールドデバイスの前記識別情報を記憶することが、前記フィールドデバイスを記述した前記複数の値のうちの少なくともいくつかを記憶することを含み、前記複数の値のうちの前記少なくともいくつかが、前記フィールドデバイスの識別情報を含み、
前記フィールドデバイス識別情報を前記第２のデバイスに分配することが、前記フィールドデバイスを記述した前記複数の値のうちの前記少なくともいくつかを前記第２のデバイスに分配することを含み、前記第２のデバイスは、前記プロセス制御ループに含まれる前記複数の他のデバイスに含まれる、請求項１〜１４のいずれか一項に記載の方法。
【請求項１６】
フィールド環境及びバックエンド環境を有するプロセスプラントをコミッショニングするためのシステムであって、
前記プロセスプラントの前記フィールド環境内に配置されたフィールドデバイスであって、
前記フィールドデバイスが、プロセス制御ループの一部として前記プロセスプラントのランタイム中に、Ｉ／Ｏデバイスを介して、物理的機能を行い、また、前記物理的機能に対応するデータの送信または受信のうちの少なくとも１つを行って、前記プロセスプラント内の工業プロセスを制御し、
前記フィールドデバイスが、入力−出力（Ｉ／Ｏ）割り当て解除状態であり、前記フィールド環境内において、前記フィールドデバイスの前記Ｉ／Ｏ割り当て解除状態が、前記フィールドデバイスが任意のＩ／Ｏデバイスを介して通信するように割り当てられていないことを示す、フィールドデバイスと、
前記プロセス制御ループのコンポーネントのメモリであって、前記コンポーネントの前記メモリが、前記フィールドデバイスの識別情報を記憶する、メモリと、
前記プロセスプラントの前記フィールド環境内に配置され、一組のコンピュータ実行可能命令を実行するプロセッサであって、前記フィールドデバイスが前記Ｉ／Ｏ割り当て解除状態の間、該プロセッサが、前記システムに、前記フィールドデバイス識別情報を前記コンポーネントの前記メモリから複数の他のデバイスに含まれる各々のデバイスに分配させ、前記複数の他のデバイスの各々のデバイスが、（ｉ）前記フィールドデバイスに通信的に接続され、（ｉｉ）前記プロセスプラントの前記フィールド環境内に配置され、（ｉｉｉ）前記プロセス制御ループに含まれ、前記フィールドデバイス識別情報を、分配された前記フィールドデバイス及び前記複数の他のデバイスを含む前記プロセス制御ループの
一部分をコミッショニングする際に使用する、プロセッサと、を含む、システム。
【請求項１７】
前記フィールドデバイス識別情報を前記コンポーネントの前記メモリから前記プロセス制御ループに含まれる前記複数の他のデバイスに含まれる第２のデバイスに前記分配することが、
前記フィールドデバイスと前記第２のデバイスとの間の前記通信的な接続を確立することと、前記フィールドデバイスにより実行されるコミッショニング動作が完了することと、のうち少なくとも一つによってトリガーされる、請求項１６に記載のシステム。
【請求項１８】
前記プロセス制御ループの前記コンポーネントが、前記プロセッサを含む、請求項１６または１７に記載のシステム。
【請求項１９】
前記フィールドデバイスが、スマートフィールドデバイスであり、
前記フィールドデバイス識別情報を記憶する前記メモリを含む前記コンポーネントが前記スマートフィールドデバイスであるか、前記プロセッサが前記スマートフィールドデバイスに含まれているか、のうち少なくとも一方である
請求項１６〜１８のいずれか一項に記載のシステム。
【請求項２０】
前記フィールドデバイス識別情報を前記コンポーネントの前記メモリから前記プロセス制御ループの前記複数の他のデバイスに前記分配することが、前記フィールドデバイス識別情報を前記コンポーネントの前記メモリから前記プロセス制御ループの前記複数の他のデバイスに各々プッシュすることを含む、請求項１６〜１９のいずれか一項に記載のシステム。
【請求項２１】
前記フィールドデバイス識別情報を前記コンポーネントの前記メモリから前記プロセス制御ループの前記複数の他のデバイスに前記分配することが、前記フィールドデバイス識別情報を前記コンポーネントの前記メモリから前記プロセス制御ループの前記複数の他のデバイスに各々プルすることを含む、請求項１６〜２０のいずれか一項に記載のシステム。
【請求項２２】
前記フィールドデバイス識別情報が、前記フィールドデバイスがそれぞれのコントローラから通信的に切断されている間に、前記コンポーネントの前記メモリから前記プロセス制御ループの前記複数の他のデバイスに分配される、請求項１６〜２１のいずれか一項に記載のシステム。
【請求項２３】
前記フィールドデバイス識別情報が、前記コンポーネントの前記メモリに予め構成される、請求項１６〜２２のいずれか一項に記載のシステム。
【請求項２４】
前記フィールドデバイス識別情報が、ユーザによって動作されるフィールドコミッショニングツールまたは資産管理システムのうちの少なくとも１つによって、前記コンポーネントの前記メモリに記憶される、請求項１６〜２２のいずれか一項に記載のシステム。
【請求項２５】
前記フィールドデバイス識別情報を記憶する前記メモリが、
（ｉ）前記フィールドデバイスの外面に取り付けられ、前記プロセッサが、ユーザによって動作されるフィールドコミッショニングツール内に配置されるか、
（ｉｉ）前記フィールドデバイスに関連付けられた特徴付けモジュール（Ｃｈａｒａｃｔｅｒｉｚａｔｉｏｎ  Ｍｏｄｕｌｅ：ＣＨＡＲＭ）のメモリ、前記フィールドデバイスと関連付けられた前記ＣＨＡＲＭをサポートするＣＨＡＲＭキャリアのメモリ、または、前記フィールドデバイスと関連付けられた前記ＣＨＡＲＭに物理的に取り付けられたエクステンダのメモリ、に含まれているか、または
（ｉｉｉ）前記フィールドデバイスと関連付けられた端子ブロックに含まれているか、である請求項１６〜２４のいずれか一項に記載のシステム。
。
【請求項２６】
前記フィールドデバイス識別情報が、前記フィールドデバイスに対応するシステムタグであり、前記システムタグが、前記フィールドデバイスを一意的に識別するソースタグから自動的に導出される、請求項１６〜２５のいずれか一項に記載のシステム。
【請求項２７】
前記システムタグが、前記ソースタグの総文字数よりも少ない総文字数を有し、前記ソースタグが、前記フィールドデバイスを一意的に識別するＨＡＲＴロングタグである、請求項２６に記載のシステム。
【請求項２８】
前記システムタグが、前記ソースタグの総文字数よりも多い総文字数を有し、前記ソースタグが、前記フィールドデバイスを一意的に識別するＨＡＲＴショートタグである、請求項２６に記載のシステム。
【請求項２９】
前記システムタグが、デバイスタグまたはデバイス信号タグのうちの少なくとも１つを含む、請求項２６〜２８のいずれか一項に記載のシステム。